(57)【要約】【課題】  マッサージや整体を行う際、指圧の押圧荷重等を広く分散・吸収できる上半身受け用クッションマットを提供する。また同時に頭部、頸部、肩甲骨、肩関節の四ヶ所を支える体圧分散性に優れた枕としても利用できるようにする。【解決手段】  低反発弾性ポリウレタンフォームからなるクッションマットにおいて、厚みが中程度の中肉部３と、厚みが厚い厚肉部４と、厚みが薄い薄肉部５を長手方向に沿って順に形成し、上面を滑らかな湾曲線で結んで流線形にするとともに、中肉部３と厚肉部４の上面に、幅方向に延出する複数の溝１０を形成し、また、中肉部３と厚肉部４に対応する位置の下面に、厚み調整用クッション材６、７、８を嵌合せしめるための嵌合溝９を幅方向に沿って形成する。【選択図】      図１
2006000245.tif 000002
【特許請求の範囲】
【請求項１】
マッサージや整体の施術時に被施術者の上半身の下面側に敷かれるクッションマットであって、長手方向に沿って厚みが中程度の中肉部と、厚みが厚い厚肉部と、厚みが薄い薄肉部とが順に連なって形成され、これらの上面が滑らかな湾曲線で結ばれるとともに、中肉部と厚肉部の上面には、幅方向に沿って複数本の溝が形成され、また、材質が低反発弾性ポリウレタンフォームから構成されることを特徴とする上半身受け用クッションマット。
【請求項２】
前記中肉部と厚肉部の位置の下面には、厚み調整用のクッション材を嵌合せしめるための嵌合溝が幅方向に沿って形成され、この嵌合溝に嵌合可能な一層または二層以上の厚み調整用クッション材が別体の組合せ部品として設けられることを特徴とする上半身受け用クッションマット。
【請求項３】
前記上半身受け用クッションマットや厚み調整用クッション材とは別体に、人体の頭部を支持する頭部支持用クッション材がセット部品として準備され、この頭部支持用クッション材には、一端側端部を切り欠いた切欠凹部が形成されることを特徴とする上半身受け用クッションマット。
【発明の詳細な説明】
【技術分野】
【０００１】
本発明は、マッサージや整体時に、被施術者の上半身の下面側に敷かれて荷重を分散・吸収するクッションマットに関する。
【背景技術】
【０００２】
従来、マッサージや整体を受ける際、被施術者を施術台等の上に横たわらせ、その上から指圧等を行うようにしているが、施術台等が硬すぎる場合、被施術者の下方の施術台上に毛布や厚手のタオルケットなどを敷いて触感を良好にしたり、クッション性を確保したりすることがある。
一方、マッサージ等を行う際、被施術者が横臥するマット自体にマッサージ効果を持たせるようにした技術も知られており、その一例として、特許文献１では、流体の導入・排出によって膨大縮小自在な袋体を複数並設してマット本体にするようにしている。
【０００３】
【特許文献１】特開２０００−１５７３７４号公報
【発明の開示】
【発明が解決しようとする課題】
【０００４】
ところが、マッサージや整体を行う際、施術台上に毛布や厚手のタオルケットを敷いただけでは、施術者が強い力で首や背中や腰等を上から押圧するとき、特に上半身の下面が均一に施術台に密着していないため、施術台に接触している部分だけに局部的に荷重が集中して、同部に痛みを感じたりする等の問題があった。
そして、このように施術者によってマッサージや整体を受ける際、特に上半身の下方に敷かれるクッション材として、従来では適当なものが提案されていなかった。
【０００５】
そこで本発明は、施術者によってマッサージや整体を受ける際、特に上半身の下面側に敷けば荷重を分散・吸収できて好適なクッションマットを提供することを目的とする。
【課題を解決するための手段】
【０００６】
上記目的を達成するため本発明は、マッサージや整体の施術時に被施術者の上半身の下面側に敷かれるクッションマットにおいて、長手方向に沿って厚みが中程度の中肉部と、厚みが厚い厚肉部と、厚みが薄い薄肉部とを順に連ならせて形成し、これらの上面を滑らかな湾曲線で結ぶとともに、中肉部と厚肉部の上面には、幅方向に沿って複数本の溝を形成し、また、材質を低反発弾性ポリウレタンフォームから構成した。
【０００７】
このように、中肉部と厚肉部と薄肉部とを連続して形成し、その上面を滑らかな湾曲線で結ぶようにすれば、頭や首や肩や腰を優しく包み込むような流線形となり、例えば、うつ伏せ姿勢、仰向け姿勢、横向き姿勢等の被施術者の姿勢や指圧の部位等に応じて適切な位置にセットすることにより、上半身と施術台との間に生じる隙間が塞がれて、体重や指圧による荷重等を広い範囲で分散・吸収させることができる。
ここで、本明細書において、上半身とは、腰および腰より上部の身体部分をいう。
また、幅方向に沿った複数本の溝によって、身体との接触面がムレにくくなり、爽やかさを得ることができる。
そして、材質を低反発弾性ポリウレタンフォームにすることで、ソフト感が得られると同時に、変形してもゆっくり復元する性質によって、例えば指圧によって瞬間的に大きな荷重がかかっても反発力は瞬間的に大きくならず、両者のバランスがとられて人体への負担を軽減できる。
なお、低反発弾性ポリウレタンフォームとは、反発弾性率１〜２０％のポリウレタンフォームをいう。
【０００８】
また本発明では、前記中肉部と厚肉部の位置の下面に、厚み調整用のクッション材を嵌合せしめるための嵌合溝を幅方向に沿って形成し、この嵌合溝に嵌合可能な一層または二層以上の厚み調整用クッション材を別体の組合せ部品として設けるようにした。
そして、適宜これらの厚み調整用クッション材を用いることで、その人の体の特徴や好み等に合わせた形態に変更できるようにする。この際、嵌合溝を幅方向に沿って形成することにより、クッションマットを身長方向に移動させても嵌合が外れにくくなる。
【０００９】
また本発明では、前記上半身受け用クッションマットや厚み調整用クッション材とは別体に、人体の頭部を支持する頭部支持用クッション材をセット部品として準備し、この頭部支持用クッション材には、一端側端部を切り欠いた切欠凹部を形成するようにした。
そして、例えばうつ伏せ姿勢で腰の付近をマッサージする場合に、クッションマットの中心を腰の付近まで下げると頭部部分の受けがなくなり、首等に負担がかかる。このため、このときは、頭部支持用クッション材を使用するようにし、切欠凹部部分に顔をあてて呼吸できるようにする。
【発明の効果】
【００１０】
マッサージや整体の施術時に被施術者の上半身の下面側に敷かれるクッションマットとして、中肉部と厚肉部と薄肉部を順に連ねて形成し、これらの上面を滑らかな湾曲面で結ぶような形態にすることで、頭や首や肩や腰を優しく包み込むことのできるような流線形となり、被施術者の姿勢や指圧部位等に応じて適切な位置にセットすることにより、身体と施術台との間に大きな隙間を生じさせないで、体重や指圧時の荷重を広い範囲で分散・吸収させることができる。また、幅方向に沿った複数本の溝により人体との接触面がムレにくくなり、また、材質を低反発弾性ポリウレタンフォームから構成することで、ソフト感が得られると同時に、荷重と反発力のバランスがとられて体への負担を軽減できる。そして、頭部、頸部、肩甲骨、肩関節の四ヶ所が一体に支えられるようになり、リラックスした姿勢で施術を受けることができる。
また、中肉部と厚肉部の下面に、厚み調整用のクッション材を嵌合自在にすれば、その人の体の特徴や好み等に合わせた形態にして使用することができる。
更に、人体の頭部を支持する頭部支持用クッション材を設け、この頭部支持用クッション材に一端側端部を切り欠いた切欠凹部を形成すれば、例えばうつ伏せ姿勢で腰や背中の付近をマッサージする場合に便利である。
【発明を実施するための最良の形態】
【００１１】
本発明の実施の形態について添付した図面に基づき説明する。
ここで図１は本発明に係る上半身受け用クッションマットの一例を示す斜視図、図２は同断面図、図３は薄肉部を折り曲げる場合の説明図、図４は頭部支持用クッション材を併用する場合の説明図、図５は使用例の一例を示す説明図、図６は上半身受け用クッションマットの他の構成例図である。
【００１２】
本発明に係る上半身受け用クッションマットは、マッサージや整体時に被施術者の身体のうち、特に上半身の下面側に敷くのに好適なクッションマットとして構成され、例えば指圧時の荷重が瞬間的に大きくかかっても、これを広く分散・吸収させて身体下面に局部的な痛み等を受けることがないようにされ、形状は頭や首や胸や腰を優しく包み込むことのできるような流線形で、また素材は低反発弾性ポリウレタンフォームから形成されていることを特徴としている。
【００１３】
すなわち、図１、図２に示すように、本上半身受け用クッションマット１は、低反発弾性ポリウレタンフォームから作製され、厚みが中程度の中肉部３と、厚みが厚い厚肉部４と、厚みが薄い薄肉部５とが長手方向に沿って連続して形成されるクッションマット本体２と、中肉部３や厚肉部４の下面の嵌合溝９に積層可能な厚み調整用クッション材６、７、８を備えており、クッションマット本体２の上面は、中肉部３、厚肉部４、薄肉部５の上面が滑らかな湾曲線によって結ばれて流線形となり、平面視で矩形状にされている。
【００１４】
ここで、低反発弾性ポリウレタンフォームは、荷重を受けるとゆっくり沈み、荷重が抜けるとゆっくり復元する性質を有しており、一般のウレタンフォームに較べて反発弾性が小さく、耐衝撃性とエネルギー吸収性に優れているため、特にマッサージや整体の際に施術台と被施術者との間に介装するクッションマットに適用すれば、例えば、瞬間的に下方に向けて大きな荷重がかかっても、これに対する反発力が少なく、人体への負担軽減が図られるものである。
【００１５】
前記クッションマット本体２下面の嵌合溝９は、厚み調整用クッション材６、７、とほぼ同じ厚み分だけ切り欠かれた凹部１０内に、幅方向に沿って二本平行に設けられており、厚み調整用クッション材６、７、８のうち、図中最下段の厚み調整用クッション材８の長さは、前記凹部１０の長さとほぼ同じにされ、図中それより上層の厚み調整用クッション材６、７は、ほぼ半分の長さとされている。また、それぞれの厚み調整用クッション材６、７、８の上面側には、嵌合溝９に嵌合可能な凸部６ｔ、７ｔ、８ｔが形成され、そのうち長さの短い厚み調整用クッション材６、７の下面側には、嵌合溝９と同じサイズの嵌合溝６ｕ、７ｕが形成されている。
【００１６】
そして、例えば図１、図２に示すように、長さの短い２個の厚み調整用クッション材６、７を並べて各凸部６ｔ、７ｔを嵌合溝９に嵌合させた後、それぞれの下面の嵌合溝６ｕ、７ｕに長さの長い厚み調整用クッション材８の凸部８ｔを嵌合させることで、二層分の高さに調整できるようにしている。なお、本実施例の場合、各厚み調整用クッション材６、７、８の組合せにより、１３通りの変化で高さを調整することができる。
また、図３に示すように、薄肉部５を折り返して厚み調整用クッション材８の下方に重ねれば、更に厚みを調整することが出来る。
【００１７】
また、クッションマット本体２の中肉部３と厚肉部４の上面には、幅方向に延出する複数本の溝１０が形成されている。この溝１０は、通気性を確保し、湿気や温度等を逃がすことにより、人体が接触する面のムレを防止して爽やかさを得るためのものである。
【００１８】
因みに、本上半身受け用クッションマットの寸法は、長手方向の長さが７５ｃｍ程度、幅が５０ｃｍ程度、中肉部３の厚みが７ｃｍ程度、厚肉部４の厚みが１０ｃｍ程度、薄肉部５の中間部付近の厚みが３ｃｍ程度、厚み調整用クッション材６、７、８の厚みが２ｃｍ程度である。
【００１９】
以上のような上半身受け用クッションマット１には、別のセット部品として、図４に示すような頭部支持用クッション材１２が準備されている。
この頭部支持用クッション材１２には、一端側端部に切欠凹部１２ｄが形成されており、この切欠凹部１２ｄは、顔を載せた際に顔面周縁や額を保持できるようなサイズや形状にされ、顔を乗せた状態でも呼吸ができるようにされている。
なお、この頭部支持用クッション材１２も、低反発弾性ポリウレタンフォーム製としている。
【００２０】
次に、以上のような上半身受け用クッションマット１の使用方法の一例について、図５に基づき説明する。
うつ伏せ姿勢で腰や背中付近のマッサージ等を受ける際は、図５（ａ）に示すように、上半身受け用クッションマット１上に被施術者の上半身を乗せてうつ伏せ姿勢となり、頭部支持用クッション材１２上に顔を乗せて切欠凹部１２ｄを通して呼吸ができるようにする。
そして、施術者が腰や背中等を指圧すれば、体重や押圧荷重等は上半身受け用クッションマット１に広く分散・吸収され、しかも瞬間的な反発力も軽減されるためバランスがとられて快適である。
【００２１】
次に、横向き姿勢や仰向け姿勢の時は、図５（ｂ）（ｃ）に示すように、それぞれ指圧部等の下方に上半身受け用クッションマット１を敷き、必要に応じて厚み調整用クッション材６、７、８や薄肉部５の折り曲げ等によって高さを調整し、快適な状態で使用する。
この際、前記要領により、各厚み調整用クッション材６、７、８の組み合わせや薄肉部５の折り返しにより、首から肩にかけての高さや感触を異ならせることができ、自分の好みに合った状態にして使用すればよい。
【００２２】
また、マッサージ等の時間が長くなる場合でも、上面の溝１０によってムレが防止され、また、厚み調整クッション材６、７、８が幅方向の嵌合溝９で嵌合しているため、上半身受け用クッションマット１を長手方向に移動させても外れにくい。
そして、このように、身体部分のうち、特に上半身を受けるクッションマットとして有効である。
【００２３】
次に、本上半身受け用クッションマット１の別構成例について図６に基づき説明する。
この構成例では、クッションマット本体２Ａの形態として、前記クッションマット本体２と厚み調整用クッション材６、７とを一体にしたような形態であり、中肉部３と厚肉部４の位置に対応する下面に、一層の厚み調整用クッション材８Ａを嵌合自在にしたものである。そして、クッションマット本体２Ａとして、前記クッションマット本体２と厚み調整用クッション材６、７を一体化した構成以外はすべて前記例と同一である。
この場合も同様な効果を奏する。
【００２４】
なお、本発明は以上のような実施形態に限定されるものではない。本発明の特許請求の範囲に記載した事項と実質的に同一の構成を有し、同一の作用効果を奏するものは本発明の技術的範囲に属する。
例えば、図５に示す使用例は例示であり、また、本発明の上半身受け用クッションマット１は枕としても使用可能である。枕とした場合には、頭部、頸部、肩甲骨、肩関節の四ヶ所を支えることのできる枕となり、体圧分散性に優れた枕となる。
【産業上の利用可能性】
【００２５】
マッサージや整体を行う際、専用の上半身受け用クッションマットを設け、被施術者の指圧点等の下方に適切な態様で敷くことで、例えば、上から瞬間的に大きな荷重がかかる場合でも、それが広く分散・吸収されるとともに、反発力が瞬間的に大きくかかることはなく、人体に対する負担が軽減される。
【図面の簡単な説明】
【００２６】
【図１】本発明に係る上半身受け用クッションマットの一例を示す斜視図
【図２】同断面図
【図３】一部を折り曲げる場合の説明図
【図４】頭部支持用クッション材の説明図
【図５】使用例の一例を示す説明図
【図６】上半身受け用クッションマットの他の構成例の説明図
【符号の説明】
【００２７】
１…上半身受け用クッションマット、２…クッションマット本体、２…中肉部、３…厚肉部、４…薄肉部、６…厚み調整用クッション材、７…厚み調整用クッション材、８…厚み調整用クッション材、９…嵌合溝、１０…溝、１２…頭部支持用クッション材、１２ｄ…切欠凹部。
【図１】
2006000245.tif 000003
【図２】
2006000245.tif 000004
【図３】
2006000245.tif 000005
【図４】
2006000245.tif 000006
【図５】
2006000245.tif 000007
【図６】
2006000245.tif 000008